(57)【要約】【課題】ゴルフをプレーしていて、ＯＢ等により手元に予備のゴルフボールがなくなってもゴルフバッグ等の収納部のチャックを開けて取り出す手間なく素早くゴルフボールを補給できるゴルフボール収容具を作ること。【解決手段】ゴルフボールを並べて複数個収容できる内径とスペースを有する本体の上部・底部を開放させた筒形状の内部を収容部として上部を挿入口とし、底部を取り出し口とするとともに底部にストッパー部としてゴム紐を張ってゴルフバッグ等に掛けておくことで、ストッパー部のゴム紐を下に引っ張り伸ばすことで底部とストッパー部の間に隙間ができ、収容部に並べて収容している最下部のゴルフボールを素早く取り出すことができる収容具となる。【選択図】　　図１
2004089636.tif 000002
【特許請求の範囲】
【請求項１】
本体（２）は、内部にゴルフボール（１）を並べて複数個収容することが可能な内径とスペースを有するように筒形状とし、本体（２）内部を収容部（３）とする。本体（２）の上部を開放させ挿入口（４）とし、本体（２）の底部も開放させ取り出し口（５）とし、挿入口（４）側を上にしてゴルフバッグ（９）やゴルフカートに掛けられるようにするために、チェーン（７）等紐状物の一端にフック部（８）を取りつけ、他端を本体（２）上縁に接続させ、本体（２）底部の取り出し口（５）には、収容部（３）に収容しているゴルフボール（１）が自重で脱落しないようにゴム紐等を用いてストッパー部（６）を設けることにより、挿入口（４）から入れられた複数のゴルフボール（１）は、収容部（３）内で並べて収容され、最下部のゴルフボール（１）は、ストッパー部（６）に接触してストッパー部（６）のゴム紐を押し下げ、本体（２）底部の取り出し口（５）から頭を出している最下部のゴルフボール（１）とストッパー部（６）を一緒につまんで、ゴム紐を引っ張り伸ばすことで本体（２）底部とストッパー部（６）の間に隙間が広がり収容しているゴルフボール（１）を容易に取り出すことができるゴルフボール収容具。
【発明の詳細な説明】
【０００１】
【発明の属する技術分野】
本発明は、主にゴルフコースに出てプレーするときにゴルフバッグ等に入れてある予備のゴルフボールを複数個入れることができ、ゴルフバッグや収納袋をわざわざ開けることなくゴルフバッグやカートに取りつけておくだけで容易に取り出すことができるように為されたゴルフボール収容具に関する。
【０００２】
【従来の技術】
従来、ゴルフコースに出てプレーするとき、予備のゴルフボールをズボンやスカートのポケットに入れてプレーするのであるが、ポケットに入れられるゴルフボールは１〜３個であるため、それ以外のゴルフボールは布袋やビニール袋にまとめてゴルフクラブを収容しているゴルフバッグのゴルフシューズや携帯品を収納するための収納部内に入れられていたため取り出すのに手間であった。
【０００３】
【発明が解決しようとする課題】
ゴルフコースに出てプレーをするとき、ほとんどのプレーヤーはＯＢを出したとき、すぐ次のプレーが再開できるように予備のゴルフボールをズボンやスカートのポケットに入れておくのであるが、ポケットに入れておけるゴルフボールは１〜３個ほどであるため、ポケットのゴルフボールがなくなれば、ゴルフクラブを収容しているゴルフバッグのあるカートまで取りに行くのであるが、ゴルフボールはゴルフバッグの中のゴルフシューズや携帯品を収納してある収納部のチャックを開けて取り出さなければならなかったが、ゴルフバッグはカートに縛られているため取り出すのは面倒であった。ゴルフボールは布袋やビニール袋にまとめられていることも多く、ゴルフバッグから布袋やビニール袋を取り出してその中からゴルフボールを取り出さなければならないこともあり二度手間になることもあった。ゴルフは３〜４人が一組でプレーをすることが多いため他のメンバーに迷惑がかかるため早くプレーを再開しようとしてあせり調子をくずす原因にもなっていた。
【０００４】
【課題を解決するための手段】
ポケットに入れてあった予備のゴルフボールを使い切ってしまったときやなくなりかけてゴルフクラブを収容しているゴルフバッグがあるカートにまで取りに行った際、ゴルフバッグの収容部のチャックを開けてゴルフボールを取り出すのは面倒であるので、収容具にゴルフボールを複数個入れておきゴルフバッグやカートに吊るすように掛けておけば良いのであるが、収容具が布袋やチャック付きの収容具であれば一度収容具の口を開けなければならず面倒であり、ビニール袋であれば見苦しいので、本体を筒形状とし上部を開放するとともにフック部を設けてゴルフバッグやカートに掛けられるようにし、底部も開放しゴム紐等でストッパー部を設け取り出し口とすることで本体内部の収容部にゴルフボールを並べて収容することにより、収容したゴルフボールの自重でゴム紐を押し下げ本体の底部からゴム紐等のストッパー部に引っ掛けて接触している最下部のゴルフボールが頭を出しているのであり、取り出すときは最下部のゴルフボールを下にストッパー部ごと引っ張ることによりストッパー部が伸びて隙間ができ、容易にゴルフボールを取り出すことができるゴルフボール収容具となるのであり、収容部に本体上部の挿入口からゴルフボールを補充すれば繰り返し使用できるのである。
【０００５】
【発明の実施の形態】
本発明は、本体内部にゴルフボールを複数個収容することができ主にゴルフバッグやゴルフカートに取りつけておいて収容しているゴルフボールを素早く取り出して使用するためのゴルフボール収容具である。
【０００６】
本体内部を空洞にしゴルフボール収容部とし、収容部にゴルフボールを複数個収容しておくことができるようにするのであるが、ゴルフボールを一個ずつ取り出しやすくするために、本体内部の収容部の形状を円筒形などの筒形状にし、ゴルフボールを概ね一列に並べて収容できるようにすると効果的である。
【０００７】
本体内部の収容部は筒形状であれば良いのであるが、収容するゴルフボールが球形であるため円筒形の筒状にすると収容部に入れやすく、収容部内を移動しやすく、又、取り出しやすくなるので効果的である。
【０００８】
円筒形などの筒形状に為された本体の内径は、ゴルフボールの直径よりやや大きめの内径にすることにより内部の収容部にゴルフボールを一列に並べて収容できゴルフボール挿入口から取り出し口へ移動させることができるので効果的である。
【０００９】
円筒形などの筒形状に為された本体の長さは、ゴルフボールを複数個収容できればどのような長さでも良いが、ゴルフをプレーしているときにポケットに入れておいた予備のゴルフボールが足りなくなったときに素早く補充できれば良いので、ゴルフボールが５〜６個収容できる長さにするとゴルフバッグやゴルフカートに取りつけておいてもじゃまにならず目立たないので便利である。
【００１０】
本体をゴルフバッグやゴルフカートに取りつけたとき、内部に収容しているゴルフボールが地面に対して垂直方向に並ぶように吊るして取りつけると、本体の上下部を開放状態にして、下部にストッパー部を設けているので、本体の上部からゴルフボールを入れやすく、地面に対して概ね縦に並んだゴルフボールの重さで本体底部に設けたストッパー部のゴム紐を伸長させており、最下部のゴルフボールが取り出し口から頭を出しているので取り出しやすくなり便利である。
【００１１】
本体底部に設けるストッパー部の素材は、本体内部に収容している最下部のゴルフボールを取り出し口から取り出すとき、ストッパー部ごと下に引っ張ることにより本体底部とストッパー部との間に隙間をつくることで取り出せるものであり、ストッパー部の素材は伸びた方がゴルフボールを取り出しやすくなるのでゴム紐にすると効果的である。
【００１２】
本体をゴルフバッグやゴルフカートに取りつけたとき、挿入口側と取り出し口側にフック部を設けることにより内部に収容しているゴルフボールが地面に対して水平に並ぶように取りつけることができるのであるが、ゴルフボールを入れるための開放状態の挿入口から振動により収容してるゴルフボールが落下してしまうので、開放状態にした挿入口と取り出し口の両方にストッパー部を設けなければならず挿入口にストッパー部を設けるとゴルフボールを収容部に入れにくくなるので挿入口が上で取り出し口が下になるように吊るした方が良いのである。
【００１３】
本体をゴルフバッグやゴルフカートに取りつけたとき、本体は地面に対して垂直方向になった方が収容しているゴルフボールも地面に対して垂直方向に並び挿入しやすく取り出しやすくなるのでフック部は本体の挿入口側に設け、取り出し口側にストッパー部を設けてゴルフバッグやゴルフカートにフック部で吊るすように取りつけた方が良いのである。
【００１４】
本体は、革製でも布製でも何でも良いのであるが、毛糸やゴム紐を編んで作製した場合は毛糸やゴム紐が伸びるため本体そのものがふくらみゴルフボールを並べて収容しづらくなり取り出しにくくなるので毛糸やゴム紐の場合は伸び縮みが大きい素材は避けた方が効果的であり、又、樹脂や金属や型紙で作製した場合、ゴルフボールを下部から取り出すとき本体下部をつまみながら最下部のゴルフボールをつまみ出すことが固くてしにくいため本体は柔らかい方が効果的である。
【００１５】
本体の内径は、挿入口側から取り出し口側まで同じ内径であった方が内側を収容しているゴルフボールがスムーズに移動するので効果的であるが、収容しているゴルフボールが概ね一列に並んで収容でき、挿入と取り出しが不便でなければまったくの同一でなくても良いのである。
【００１６】
ストッパー部を設ける位置は、地面に対して本体が垂直方向になるように本体をゴルフバッグやゴルフカートに取りつけたとき、本体底部の取り出し口に設けるのであり、収容しているゴルフボールが収容部下部から落下しないように開放状態の部分を横断するようにゴム紐を取り出し口に張るようにして設けると効果的である。
【００１７】
本体底部の開放状態の取り出し口を横断するように取りつけるストッパー部のゴム紐の張り方は、収容しているゴルフボールが落下しないように一本から複数本設けても良いのである。
【００１８】
本体底部の開放状態の取り出し口に設けたストッパー部のゴム紐の張り方は、同方向に複数本設けても、クロスするように複数本設けても良いが、収容部からゴルフボールを取り出すときゴム紐を伸ばしながらゴム紐とゴム紐の隙間から取り出さなければならないので移動中の振動や揺れによりゴルフボールが収容部から落下しない程度のなるべく少ない本数にするとゴルフボールが取り出しやすくなり便利である。
【００１９】
本体底部の開放状態の取り出し口に設けるストッパー部のゴム紐の強度は、伸ばしながらゴルフボールを取り出すとき強度が強すぎると取り出しにくく地面に対して垂直方向に並べて収容しているゴルフボールの重みがゴム紐にかかってゴム紐を下に押し下げ収容部から最下部のゴルフボールが頭を出している方が取り出しやすくなるので収容部からゴルフボールが落下しないことを考慮しながらゴム紐は、ゆるめに張って設けると効果的である。
【００２０】
本体にフック部を設けるときは、本体に直接フックを取りつけると、取りつける位置が限られたり、ゴルフバッグやゴルフカートに取りつけにくいのでフックに紐やチェーンの一端を取りつけ、他端を本体に取りつけることにより、ゴルフバッグやゴルフカートに吊るすように取りつけることができ便利である。
【００２１】
フック部は、ゴルフバッグやゴルフカートに取りつけられ、移動しているとき容易に外れなければどのようなもので良いが、ゴルフのプレーが終了したあとは、不必要なのでクリップ状のフックにすると素早く取り外せるので便利である。
【００２２】
【実施例】
実施例について図面を参照して説明すると、図１において、ゴルフボール（１）を並べて複数個入れて収容するために本体（２）は、ゴルフボール（１）の直径より大きめの内径を有する主に円筒形の筒形状とし内部を収容部（３）とし、本体（２）の上部を開放させ挿入口（４）とし、上縁部にチェーン（７）等で接続してフック部（８）を取りつけ、底部も開放させ取り出し口（５）とし、取り出し口（５）を横断するようにゴム紐でストッパー部（６）を設ける。
【００２３】
図２は側面図であり、本体（２）はゴルフボール（１）の直径より大きめの内径を有する円筒形の筒形状であるので本体（２）上部の挿入口（４）からひとつずつ複数個のゴルフボール（１）を並べて収容部（３）に入れることができ、最初に収容されたゴルフボール（１）は本体（２）の底部に押し込まれるが、底部の取り出し口（５）にはストッパー部（６）としてゴム紐を張ってあるのでゴルフボール（１）の自重でストッパー部（６）のゴム紐を押し下げながらもストッパー部（６）のゴム紐に引っ掛かったまま本体（２）の収容部（３）に挿入口（４）から入れられた順にゴルフボール（１）は並べられて収容されており、本体（２）の上縁に設けたフック部（８）によりゴルフバッグ（９）やゴルフカートに掛けて使用することができるのである。
【００２４】
図４においては、本体（２）から収容してあるゴルフボール（１）の取り出し方法を示しており、本体（２）上部の挿入口（４）から入れられたゴルフボール（１）は自重により収容部（３）下部に落ち、本体（２）底部の取り出し口（５）に設けたストッパー部（６）に達し、ストッパー部（６）であるゴム紐を下に押し下げながらストッパー部（６）に引っ掛かっており、ストッパー部（６）はゴルフボール（１）が自重で収容部から落下することがないように設けているだけなので、手ではゴルフボール（１）をつかみストッパー部（６）のゴム紐ごと下に引っ張ればストッパー部（６）のゴム紐が伸びて取り出し口（５）とストッパー部（６）のゴム紐、或いはストッパー部（６）を構成するゴム紐とゴム紐の間に大きな隙間ができその隙間からゴルフボール（１）を引っ張り出すことができるのであり、手を離せばストッパー部（６）のゴム紐は元の状態に戻るため、引っ張り出されたゴルフボール（１）のすぐ上にあったゴルフボール（１）が今度は最下部となりストッパー部（６）のゴム紐に引っ掛かって収容されていることとなり、収容してあるゴルフボール（１）がなくなるまで同様に引っ張り出すことができ、ゴルフボール（１）は、本体（２）の挿入口（４）からいつでも補充することができるので繰り返し使用できるのである。
【００２５】
ストッパー部（６）の素材をゴム紐にすることで収容しているゴルフボール（１）が取り出しやすくなるのであるが、ゴム紐のほかに伸びる素材であればゴム紐以外でも良いのである。
【００２６】
ストッパー部（６）であるゴム紐の張り方は収容してあるゴルフボール（１）が取り出しやすければ図１〜図３に示した形状以外でも良く、縦じま状や横じま状に同じ方向に平行させて複数本設けても、ゴム紐をクロスさせて設けても良いのである。
【００２７】
本体（２）上部の挿入口（４）側の上縁にフック部（８）を設け、円筒形の筒形状の本体（２）がゴルフバッグ（９）やゴルフカートに取りつけたとき地面に対して垂直にぶら下がるように取りつけた方が、収容した最下部のゴルフボール（１）が自重でストッパー部（６）のゴム紐を押し下げているのでゴルフボール（１）を引っ張り出しやすくなるので効果的であるが、ゴルフボール（１）の出し入れが面倒でなければ挿入口（４）にもストッパー部（６）を設けて、挿入口（４）側と取り出し口（５）側の両方からフック部（８）に接続してゴルフバッグ（９）やゴルフカートに取りつけたとき地面に対して本体（２）が水平方向に吊り下げるように取りつけても良いのである。
【００２８】
取り出し口（５）を設ける位置は、本体（２）底部を開放状態にして設ける以外に本体（２）を地面に対して垂直方向になるようにゴルフバッグ（９）やゴルフカートに取りつけたとき、本体（２）の下部にゴルフボール（１）大の穴部を設けて取り出し口（５）としても良いのであり、この場合も、取り出し口（５）とした穴部にストッパー部（６）を設けた方が良いのである。
【００２９】
フック部（８）は、本体（２）に直接設けても良いが、チェーン（７）や紐に接続して設けた方がゴルフバッグ（９）やゴルフカートに取りつけやすく便利であり、ゴルフバッグ（９）やゴルフカートに本体（２）を取りつけやすければフック部（８）の形状・取りつけ方法はどのようなものでも良いのである。
【００３０】
本体（２）の形状は、収容したゴルフボール（１）が一列に並んでいた方が取り出し口（５）から引っ張り出しやすいので、概ね収容したゴルフボール（１）が一列に並んで収容されていれば円筒形の筒形状にはこだわらず四角柱状や八角柱状等の筒形状でも良いのである。
【００３１】
本発明は、主にゴルフバッグ（９）やゴルフカートに取りつけて使用するのであるが、収容部（３）に収容するゴルフボール（１）の数を１〜３個ほどに少なくし本体をコンパクトにすることによりプレーヤーのベルト等に取りつけて使用することもできるのである。
【００３２】
【発明の効果】
本発明は、以上述べてきたような内容で実施され、以下に記載されるような効果を奏する。
【００３３】
本発明は、本体底部の取り出し口に設けたストッパー部のゴム紐を伸ばすことで容易に素早く収容しているゴルフボールを取り出すことができ便利である。
【００３４】
本発明は、予備のゴルフボールを複数個収容してもストッパー部のゴム紐が伸びて本体底部との間にゴルフボールの大きさ以上の隙間ができない限り、ゴルフボールが収容部から勝手に落下することがなく便利である。
【００３５】
本発明は、ゴルフボールを複数個収容しておくことができ、勝手にゴルフボールが落下することがないのでゴルフバッグの中ではなく、ゴルフバッグの外側やゴルフカートに取りつけたまま移動することができ便利である。
【００３６】
本発明は、収容部の長さで収容できるゴルフボールの数を決めて製造できるので、予備のゴルフボールとして大体何個必要かを考慮して収容具を選べるようにするとプレー中に補充しなくても良かったり、休憩中に補充するだけで良く、支障なくプレーでき便利である。
【００３７】
本発明は、ゴルフバッグやゴルフカートに取りつけたまま移動しながらプレーを進められるので従来のようにゴルフバッグの中の予備のゴルフボールの残数が分からないままプレーすることなく、本体部からゴルフボールを取り出すとき或いは、補充するときに便利である。
【００３８】
本発明は、プレーヤーだけではなく、キャディが使用することで本発明にゴルフボールを収容せずにカートに取りつけておけば、所有者不明のゴルフボールを見つけたときに本発明に収容することができ便利である。
【００３９】
本発明は、ゴルフバッグやカートに掛けたままゴルフをプレーできるので、ゴルフバッグの中に予備のゴルフボールを入れておくことでなかなか取り出せずイライラして調子をくずすことがなくなるのである。
【００４０】
ゴルフバッグはカートに係止具で縛られて運ばれていることが多く、ゴルフバッグの中に予備のゴルフボールを入れておくと、ゴルフバッグのチャックを開けて中からゴルフボールを取り出すのに手間どり他のメンバーに迷惑をかけることも本発明をゴルフバッグやゴルフカートに掛けてゴルフボールを収容しておくことによりなくなるのである。
【図面の簡単な説明】
【図１】本発明の斜視図である。
【図２】本発明の側面透視図である。
【図３】本発明の底面図である。
【図４】本発明の取り出し方法を示す図である。
【図５】本発明の使用状態を示す図である。
【図６】ストッパー部（６）の参考実施例図である。
【図７】ストッパー部（６）の参考実施例図である。
【符号の説明】
１　ゴルフボール
２　本体
３　収容部
４　挿入口
５　取り出し口
６　ストッパー部
７　チェーン
８　フック部
９　ゴルフバッグ
【図１】
2004089636.tif 000003
【図２】
2004089636.tif 000004
【図３】
2004089636.tif 000005
【図４】
2004089636.tif 000006
【図５】
2004089636.tif 000007
【図６】
2004089636.tif 000008
【図７】
2004089636.tif 000009